(57)【要約】      （修正有）【課題】移動体を利用した使用者が実際に移動した場所における位置情報等のデータを、複数の使用者間で共有できる移動体通信システムを得る。【解決手段】移動体１と、前記移動体１に設置されたＧＰＳ受信機２と、制御部５と、ボタン６と、情報サーバとの双方向通信手段３とで構成されるＧＰＳ機能付き移動体通信システムにおいて、前記ボタン６には、複数の識別子が配置され、また、前記ボタン６には、発光素子が配置されており、移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、前記ボタンの発光素子は、前記情報サーバからの統計処理されたデータに基づいて、発光されることを特徴とするＧＰＳ機能付き移動体通信システムとする。【選択図】図１
2013078002.tif 000002
【特許請求の範囲】
【請求項１】
移動体と、前記移動体に設置されたＧＰＳ受信機と、制御部と、ボタンと、情報サーバとの双方向通信手段とで構成されるＧＰＳ機能付き移動体通信システムにおいて、
前記ボタンには、複数の識別子が配置され、また、前記ボタンには、発光素子が配置されており、
移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、
前記ボタンの発光素子は、前記情報サーバからの統計処理されたデータに基づいて、音声と共に発光されることを特徴とするＧＰＳ機能付き移動体通信システム。
【請求項２】
前記移動体は、自転車、車、車椅子、あるいは使用者自身のいずれかであることを特徴とする請求項１記載のＧＰＳ機能付き移動体通信システム。
【請求項３】
前記移動体は、複数個配置されており、個々の移動体からのボタンを押した位置のＧＰＳ位置データ、ボタンの識別子に関するデータが、前記情報サーバに蓄積され、
前記ＧＰＳ位置データ、前記ボタンの識別子に関するデータが、前記個々の移動体から、相互の共有の情報として読み出されることを特徴とする請求項１または２のいずれか１項記載のＧＰＳ機能付き移動体通信システム。
【請求項４】
移動体に、ＧＰＳ受信機と、制御部と、ボタンと、情報サーバとの双方向通信手段とを配置し、
前記ボタンには、複数の識別子が配置され、また、前記ボタンには、発光素子が配置されており、
移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、
前記ボタンの発光素子は、前記情報サーバからの統計処理されたデータに基づいて、音声と共に発光されることを特徴とするＧＰＳ機能付き移動体通信方法。
【請求項５】
前記移動体を、自転車、車、車椅子、あるいは使用者自身のいずれかとすることを特徴とする請求項４記載のＧＰＳ機能付き移動体通信方法。
【請求項６】
前記移動体を、複数個配置し、個々の移動体からのボタンを押した位置のＧＰＳ位置データ、ボタンの識別子に関するデータが、前記情報サーバに蓄積され、
前記ＧＰＳ位置データ、前記ボタンの識別子に関するデータが、前記個々の移動体から、相互の共有の情報として読み出すことを特徴とする請求項４または５のいずれか１項記載のＧＰＳ機能付き移動体通信方法。
【発明の詳細な説明】
【技術分野】
【０００１】
本発明は、移動体に乗って移動している使用者、あるいは自ら移動している使用者が、現実に滞在する位置において感じた感性に対応して、移動体内に設置されたボタンでの、ボタンの識別子に対して、得られた情報に対応する「ボタンを押す」という、簡単な現実の場所でのアクションをトリガーとして、外部の情報サーバにデータを投稿できたり、あるいは前記外部の情報サーバから、蓄積されたデータの中から、有用なデータを、前記ボタンの操作にて、読み出すことが可能なＧＰＳ機能付き移動体通信システムおよびＧＰＳ機能付き移動体通信方法に関する。
【背景技術】
【０００２】
ＧＰＳ衛星を利用して、位置情報データを配信する移動体通信システムは、特許文献１、あるいは特許文献２に開示されている。ここで、特許文献１は、情報案内端末に、ＧＰＳ受信機が内蔵されおり、インタネットを経由して、情報サーバからの、位置情報に関するデータが、前記情報案内端末に配信される内容である。
【０００３】
また、特許文献２は、同じく情報案内端末に、インタネットを経由して、情報サーバからの、位置情報に関するデータが、前記情報案内端末に配信される内容であり、前記情報案内端末複数配置されている内容である。
【先行技術文献】
【特許文献】
【０００４】
【特許文献１】特開２００１−２６４０９０号公報
【特許文献２】特開２００７−３４７４３号公報
【発明の概要】
【発明が解決しようとする課題】
【０００５】
特許文献１、および特許文献２共に、情報サーバからのデータが、情報案内端末に配信されるが、情報案内端末を携帯する使用者から発信される、現地の場所での各種の情報のデータを、リアルタイムで、情報サーバへ送信し、格納することは、開示されていない。
【０００６】
本発明の課題は、移動体を利用した使用者が、実際に移動した場所における、位置情報と、その場所での使用者の情報、その他、評価データが、使用者が、ボタンを押すことによって、データとして、逐次、情報サーバに格納され、更に複数の使用者間でのデータの共有が可能であり、また、前記ボタンの操作によって、前記情報サーバから、前記複数の使用者間でのデータを読みだすことができる、観光、レジャーでの環境負荷低減な移動手段だけではなく、地域の、予防医療・予防介護、災害時でも活用できるソーシャルインフラとしてなど利用範囲が可能な、GPS機能付き移動体通信システムおよびGPS機能付き移動体通信方法を提供することである。 
【課題を解決するための手段】
【０００７】
本発明のＧＰＳ機能付き移動体通信システムおよびGPS機能付き移動体通信方法は、
前記移動体中の使用者が現実に存在する位置において、前記移動体内に設置された前記ボタンのボタンの識別子に対して、前記ボタンを押すことで、情報サーバへ、データを配信し、格納することを特徴とする。
【０００８】
本発明の請求項１に係るＧＰＳ機能付き移動体通信システムは、移動体と、前記移動体に設置されたＧＰＳ受信機と、制御部と、ボタンと、外部の情報サーバとの双方向通信手段とで構成されるＧＰＳ機能付き移動体通信システムにおいて、前記ボタンには、複数の識別子が配置され、また、前記ボタンには、発光素子が配置されており、移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、前記ボタンの発光素子は、前記情報サーバからの統計処理されたデータに基づいて、音声と共に発光されることを特徴とするＧＰＳ機能付き移動体通信システム。
【０００９】
本発明の請求項２に係るＧＰＳ機能付き移動体通信システムは、前記移動体は、自転車、車、車椅子、あるいは使用者自身のいずれかであることを特徴とする請求項１記載のＧＰＳ機能付き移動体通信システムである。
【００１０】
本発明の請求項３に係るＧＰＳ機能付き移動体通信システムは、前記移動体は、複数個配置されており、個々の移動体からのボタンを押した位置のＧＰＳ位置データ、ボタンの識別子に関するデータが、前記情報サーバに蓄積され、前記ＧＰＳ位置データ、前記ボタンの識別子に関するデータが、前記個々の移動体から、相互の共有の情報として読み出されることを特徴とする請求項１または２のいずれか１項記載のGPS機能付き移動体通信システムである。
【００１１】
本発明の請求項４に係るＧＰＳ機能付き移動体通信方法は、移動体に、ＧＰＳ受信機と、制御部と、ボタンと、外部の情報サーバとの双方向通信手段とを配置し、前記ボタンには、複数の識別子が配置され、また、前記ボタンには、発光素子が配置されており、移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、
前記ボタンの発光素子は、前記情報サーバからの統計処理されたデータに基づいて、音声と共に発光されることを特徴とするＧＰＳ機能付き移動体通信方法である。
【００１２】
本発明の請求項５に係るＧＰＳ機能付き移動体通信方法は、前記移動体を、自転車、車、車椅子、あるいは使用者自身のいずれかとすることを特徴とする請求項４記載のＧＰＳ機能付き移動体通信方法である。
【００１３】
本発明の請求項６に係るＧＰＳ機能付き移動体通信方法は、前記移動体を、複数個配置し、個々の移動体からのボタンを押した位置のＧＰＳ位置データ、ボタンの識別子に関するデータが、前記情報サーバに蓄積され、前記ＧＰＳ位置データ、前記ボタンの識別子に関するデータが、前記個々の移動体から、相互の共有の情報として読み出すことを特徴とする請求項４または５のいずれか１項記載のGPS機能付き移動体通信方法である。
【発明の効果】
【００１４】
本発明の請求項１、２，３によるＧＰＳ機能付き移動体通信システムによれば、移動体中の使用者が現実に存在する位置において得た情報に対応して、前記移動体内に設置された前記ボタンのボタンの識別子に対して、前記ボタンを押すことで、情報サーバへ、データを配信し、格納し、かつ前記ボタンの操作によって情報サーバ内のデータを読み出すことが可能となる特徴がある。
【００１５】
本発明の請求項４、５、６によるＧＰＳ機能付き移動体通信方法によれば、移動体中の使用者が現実に滞在する位置において得た情報に対応して、前記移動体内に設置された前記ボタンのボタンの識別子に対して、前記ボタンを押すことで、情報サーバへ、データを配信し、格納し、かつ前記ボタンの操作によって情報サーバ内のデータを読み出すことが可能となる特徴がある。
【００１６】
本発明によれば、移動体を利用した使用者が、実際に移動した場所における、位置情報と、その場所での使用者の情報、その他、評価データが、使用者が、ボタンを押すことによって、データとして、逐次、情報サーバに格納され、更に複数の使用者間でのデータの共有が可能であり、また、前記ボタンの操作によって、前記情報サーバから、前記複数の使用者間でのデータを読みだすことができる、観光、レジャーでの環境負荷低減な移動手段だけではなく、地域の、予防医療・予防介護、災害時でも活用できるソーシャルインフラとしてなど利用範囲が可能な、GPS機能付き移動体通信システムおよびGPS機能付き移動体通信方法を提供することができる。
【図面の簡単な説明】
【００１７】
【図１】本発明の実施例１のＧＰＳ機能付き移動体通信システムの図である。
【図２】本発明の実施例２のＧＰＳ機能付き移動体通信システムの図であり、移動体を複数配置した場合である。
【図３】本発明のＧＰＳ機能付き移動体通信システムにおけるボタンの図である。図３（ａ）は、ボタンの識別子を横方法に配列した場合、図３（ｂ）は、ボタンの識別子を縦方法に配列した場合である。
【図４】本発明の実施例３のＧＰＳ機能付き移動体通信システムの図であり、移動体を自転車とした場合である。
【図５】本発明の実施例４のＧＰＳ機能付き移動体通信システムからのデータを地図上に整理した図である。
【発明を実施するための形態】
【００１８】
本発明のＧＰＳ機能付き移動体通信システムは、移動体と、前記移動体に設置されたＧＰＳ受信機と、制御部と、ボタンと、外部の情報サーバとの双方向通信手段とで構成されるＧＰＳ機能付き移動体通信システムにおいて、前記ボタンには、複数の識別子が配置され、また、前記ボタンには、発光素子が配置されており、移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、前記ボタンの発光素子は、前記情報サーバからの統計処理されたデータに基づいて、音声と共に発光されることを特徴とする。ここで、前記移動体中の使用者が現実に滞在する位置において、前記ボタンを押す行動は、使用者がその位置にて得た情報に基づき、ボタンの識別子を選択するが、この場合、前記使用者が得た情報の中身は、例えば、例えば、「いいね」、「あぶない」、「その他の感覚」などが、選択されるが、これだけには限られない。
【００１９】
また、本発明のＧＰＳ機能付き移動体通信方法は、移動体に、ＧＰＳ受信機と、制御部と、ボタンと、外部の情報サーバとの双方向通信手段とを配置し、前記ボタンには、複数の識別子が配置され、また、前記ボタンには、発光素子が配置されており、移動体中の使用者が、現実に存在する位置において、前記ボタンの複数識別子のいずれかを押し、前記ボタンを押したことの情報が、前記制御部を介して、前記情報サーバとの双方向通信手段によって、前記情報サーバに蓄積され、あらかじめ設定された統計処理が行われ、前記ボタンの発光素子は、前記情報サーバからの統計処理されたデータに基づいて、音声と共に発光されることを特徴とする。ここで、前記移動体中の使用者が現実に滞在する位置において、前記ボタンを押す行動は、使用者がその位置にて得た情報に基づき、ボタンの識別子を選択するが、この場合、前記使用者が得た情報の中身は、例えば、例えば、「いいね」、「あぶない」、「その他の感覚」などが、選択されるが、これだけには限られない。
【実施例】
【００２０】
本発明のＧＰＳ機能付き移動体通信システムおよびＧＰＳ機能付き移動体通信方法の実施例につき、以下説明する。
【００２１】
（実施例１）
図１は、本発明の実施例１のGPS機能付き移動体通信システムの図である。図１のGPS機能付き移動体通信システムは、移動体１と、ＧＰＳ受信機２と、情報サーバとの双方向通信手段３と、情報サーバ３００とが基本構成となり、構成されている。
【００２２】
ここで、移動体１には、ＧＰＳ受信機２、インターネット送受信端末３、情報サーバとの双方向通信手段３  カメラ４、制御部５、ボタン６が設置されており、使用者が、移動体１に便乗している。また、ＧＰＳ衛星１０からの位置情報のデータを、前記ＧＰＳ受信機２が受信している。前記制御部５は、ＧＰＳ受信機２、情報サーバとの双方向通信手段３、カメラ４、ボタン６の動作を監視し、制御している。
【００２３】
ここで、前記移動体中の使用者が現実に滞在する位置において得た情報については、例えば、「いいね」、「あぶない」、「その他の感覚」なの情報を得た時、リアルタイムに、前記ボタン６を押す。この場合、ボタン６には、上記情報に対応した識別子が配置されており、その識別子に対応したボタンの区画を押すこととなる。前記ボタン６を使用者が押すことによって、ボタン６を押した識別子のデータ、およびその位置でのＧＰＳ位置データが、情報サーバとの双方向通信手段３によって、前記情報サーバに送信され、前記各データが前記情報サーバに格納される。場合によっては、カメラ４の画像データを、制御部５を介して情報サーバとの双方向通信手段３によって、情報サーバに送る場合もあり得る。
【００２４】
図３は、本発明のＧＰＳ機能付き移動体通信システムにおけるボタンの図である。図３（ａ）は、ボタン６３の識別子６３Ａ，６３Ｂ，６３Ｃを横方法に配列した場合、図３（ｂ）は、ボタン６４の識別子６４Ａ，６４Ｂ，６４Ｃ  を縦方法に配列した場合である。
先に記載した「いいね」、「あぶない」、「その他の感覚」などの感覚と、前記ボタンの識別子を対応させて使用することができる。
【００２５】
ここで、図３でのボタン６３の識別子６２Ａ，６３Ｂ，６３Ｃのそれぞれの場所に発光素子（図示はしていない）を配置しても良い。ここで、発光素子の機能の一例は、情報サーバにて、重要情報が存在した場合、使用者に、発光素子が光ることによって、知らせる機能である。例えば半径４００ｍ以内にて、重要情報が存在する場合、使用者へ、発光素子の光によって知らせることができる。使用者は、ボタンの操作によって、前記重要情報の詳細な内容を、情報サーバから送信させることができる。
なお、この重要情報の分類は、先に記載した「いいね」、「あぶない」、「その他感覚」に分類しても良いが、その他の指定した分類でも良い。
【００２６】
（実施例２）
図２は、本発明の実施例２のGPS機能付き移動体通信システムの図であり、移動体を、１、１１，１２、の３個配置した場合の例である。移動体１には、ＧＰＳ受信機２、情報サーバとの双方向通信手段３、カメラ４、制御部５、ボタン６が設置されており、移動体１１には、ＧＰＳ受信機２１、情報サーバとの双方向通信手段３１、カメラ４１、制御部５１、ボタン６１が設置されており、移動体１２には、ＧＰＳ受信機２２、情報サーバとの双方向通信手段３２、カメラ４２、制御部５２、ボタン６２が設置されており、それぞれの移動体には、使用者が個々に便乗している。
【００２７】
ここで、前記移動体中のそれぞれ使用者が、現実に滞在する位置において得た情報については、例えば、「いいね」、「あぶない」、「その他の感覚」などを感じた時、リアルタイムに、前記ボタン６、あるいは６１，６２を押す。この場合、ボタン６，６１，６２には、上記感情に対応した識別子が配置されており、その識別子に対応したボタン一部分を押すこととなる。前記ボタン６を使用者が押すことによって、ボタン６，６１，６２を押したことの内容のデータ、および位置のＧＰＳ位置データが、情報サーバとの双方向通信手段３１によって、前記情報サーバに送信し、前記各データが前記情報サーバに格納される。
場合によっては、カメラ４，４１，４２の画像データを、情報サーバとの双方向通信手段３，３１，３２によって送る場合もあり得る。
【００２８】
なお、個々の移動体からのボタンを押した位置のＧＰＳ位置データ、およびカメラの画像データが、前記情報サーバに格納され、前記ＧＰＳ位置データ、およびカメラの画像データが、前記個々の移動体から、相互の共有の情報として読み出される。
この場合、情報サーバに格納されているデータは、複数の使用者からのデータであって、このデータを分類し、かつ、統計的処理を加えて蓄積される。
前記統計的な処理の一例としては、同一のＧＰＳ位置データの中で、使用者の中で「いいね」のボタンを押したパーセントを計算し、蓄積する例である。その他、時間的な経過をパラメータとして、もっとも多くの使用者が、「いいね」のボタンを押した時間帯を統計的に処理する場合などがある。
【００２９】
（実施例３）
図４は、本発明の実施例３のＧＰＳ機能付き移動体通信システムの図であり、移動体を自転車１３とした場合である。図３に示すごとく、制御部は、５３であり、ボタンは６３である。先の実施例１と同様に、自転車の乗った使用者が、現実に滞在する位置において感じた感性については、、例えば、「いいね」、「あぶない」、「その他の感覚」などを感じた時、リアルタイムに、前記ボタン６３を押す。この場合、ボタン６３には、上記感情に対応した識別子が配置されており、その識別子に対応したボタン一部分を押すこととなる。前記ボタン６３を使用者が押すことによって、ボタン６３を押した位置のＧＰＳ位置データ、およびカメラの画像データが、インターネット送受信端末によって、前記情報サーバに送信し、前記各データが前記情報サーバに格納される。場合によっては、カメラの画像データなしの場合もあり得る。
【００３０】
（実施例４）
図５は、本発明の実施例４のＧＰＳ機能付き移動体通信システムからのデータを地図上に整理した図である。この場合は、特に、先の実施例３での自転車１３を使用した場合の情報サーバ内のデータを、後から、読み出して、地図として表示した内容である。
この地図上の表示は、観光、レジャー、あるいは災害現場確認などの応用がある。
【００３１】
第１表は、各種の位置情報システムの比較表である。ここで、I-NEボタンの欄が、本願のＧＰＳ位置情報システムを示す欄である。
本願と、他の位置情報システムとの違い以下の通りである。
即ち、本願の位置情報システムは、先の実施例１，２，３において、説明したように、使用者が、実際にその場所に滞在して得た、現実の情報が基本となっている。一方他の位置情報システムは、一部が仮想空間での情報となっている。
本願は、使用者が、現実に滞在した位置での情報を基本とすることが、他の位置情報システムと異なっている。
【表１】
2013078002.tif 000003
【００３２】
（実施例５）
本発明の実施例５のＧＰＳ機能付き移動体通信システムに使用される通信モジュールについて、以下記載する。
実施例５にて用いた通信モジュールは、PPP通信モジュール、およびTCP/IP通信モジュール、およびHTTPプロトコル上位アプリケーションにて構成されている。
ここで、前記通信モジュールの機能は、主として、センサーデータの収集・解析とサーバー間通信処理、及びDTE周辺機器（LED・音声デバイス等）のサーバからの通信データに基づいたデータ処理と周辺機器の制御等である。
前記通信モジュールの特徴は、外部大容量記憶領域（SDカード）により、リモートでプログラム更新が可能となった。従来は、ROMの焼き直し等、現地作業が必須なため、多大な保守稼働がかかるという問題点があった。また上記、仕様により、音声や画像等の容量の大きいデータの蓄積・制御も可能となった。
更に、開発時のデバック情報もSDメディアに書き出しができる長所がある。
前記通信モジュールの採用によって、本発明のＧＰＳ機能付き移動体通信システムにおけるボタンインターフェスという新概念のインターフェスの機能を満たすため、1秒間間でのセンサー情報の習得タスクへのボタンからの要求信号に対し、わりこみ処理やタイマー処理等、全体的なアプリケーション処理と通信処理の最適化を実現することができた。
【００３３】
（実施例６）
本発明の実施例６のＧＰＳ機能付き移動体通信システムについて説明する。
先の図４で示したように、移動体を自転車１３とするＧＰＳ機能付き移動体通信システムであるが、以下の特徴を有する。
即ち、1秒ごとの時間と位置情報をサーバで取得していることから、その履歴より移動方位と目的地と自分の現在地をサーバ側で演算することにより、移動者の方位と距離を予測してＧＰＳユニットに伝える機能を提供できる。更に、表示部は、方位表示はＧＰＳユニットに方位LED（８方向）の点灯でユーザを導き、あわせて目的地までの距離は音声とLEDの点滅速度等より知らせることが可能となる。
【００３４】
（実施例７）
本発明の実施例７のＧＰＳ機能付き移動体通信システムについて説明する。
本実施例７のＧＰＳ機能付き移動体通信システムは、コミュニティサイクルとしての機能を追加した通信システムである。
即ち通信モジュール本体（ユビキタスボックス本体）にコミュニティＦＭチューナー機能をつけることにより、地域コミュニティＦＭを受信することを可能とする。
移動体が、コミュニティＦＭエリアにはいると、サーバー側から起動命令を発行し、自動的にエリアにあった、ＦＭ情報を配信する。前記エリアをでると、自動で音声停止する。
例えば「これからコミュニティＦＭエリアにはいります。音声を出力します」のガイダンスを流す。
【産業上の利用可能性】
【００３５】
本発明のＧＰＳ機能付き移動体通信システムおよびＧＰＳ機能付き移動体通信方法によれば、移動体から実際の滞在場所から配信されたデータを、情報サーバに格納し、このデータを活用することによって観光案内、レジャーへの利用、また、災害現場の把握などの応用に利用できる。
【符号の説明】
【００３６】
１，１１，１２    移動体
１３、１４    自転車
１０    ＧＰＳ衛星
２，２１，２２    ＧＰＳ受信機
３，３１，３２    情報サーバとの双方向通信手段
４，４１，４２    カメラ
５，５１，５２、５３    制御部
６，６１，６２、６２、６３，６４    ボタン
６３Ａ，６３Ｂ，６３Ｃ，６４Ａ，６４Ｂ，６４Ｃ    ボタンの識別子
２００      インターネット
３００      情報サーバ
【図１】
2013078002.tif 000004
【図２】
2013078002.tif 000005
【図３】
2013078002.tif 000006
【図４】
2013078002.tif 000007
【図５】
2013078002.tif 000008